(57)【要約】【課題】  昼夜切り替え撮影カメラを小型化する。【解決手段】  矩形平板状の透明基板と、この透明基板の一方の主面に設けられる赤外線カット膜と、前記透明基板の前記一方の主面に設けられる赤外線反射防止膜と、前記透明基板の他方の主面に設けられる赤外線反射防止膜と、を備え、前記透明基板の一方の主面に設けた前記赤外線カット膜と前記赤外線反射防止膜とが並んで設けられて構成されていることを特徴とする昼夜切り替え撮影カメラ用ローパスフィルタであり、前記透明基板が水晶からなる複屈折板であることを特徴とする。【選択図】      図１
2013250425.tif 000002
【特許請求の範囲】
【請求項１】
平板状の透明基板と、
この透明基板の一方の主面に設けられる赤外線カット膜と、
前記透明基板の前記一方の主面に設けられる赤外線反射防止膜と、
前記透明基板の他方の主面に設けられる赤外線反射防止膜と、
を備え、
前記透明基板の一方の主面に設けた前記赤外線カット膜と前記赤外線反射防止膜とが並んで設けられて構成されていることを特徴とする昼夜切り替え撮影カメラ用ローパスフィルタ。
【請求項２】
前記透明基板が、水晶からなる複屈折板であることを特徴とする請求項１に記載の昼夜切り替え撮影カメラ用ローパスフィルタ。
【発明の詳細な説明】
【技術分野】
【０００１】
本発明は、昼の撮影と夜の撮影とで切り替えて用いるカメラに搭載される昼夜切り替え撮影カメラ用ローパスフィルタに関する。
【背景技術】
【０００２】
従来より、昼夜切り替え撮影カメラは、２つのフィルタが用いられている。
たとえば、昼夜切り替え撮影カメラは、昼間の撮影の際にはカメラレンズと撮像素子との間に配置できるように赤外線カットフィルタが設けられ、また、夜間の撮影の際には前記赤外線カットフィルタに代えてダミーガラスが配置されていた。これら赤外線カットフィルタとダミーガラスは、昼夜の撮影の切り替えの際に入れ替えを行っていた。
したがって、従来の昼夜切り替え撮影カメラは、赤外線カットフィルタとダミーガラスとを備えるための空間を確保しつつこれらを入れ替えるための駆動装置が別々に必要となっていた。
【先行技術文献】
【特許文献】
【０００３】
【特許文献１】特開２０１１−１０７４９１号公報
【発明の概要】
【発明が解決しようとする課題】
【０００４】
しかしながら、従来の昼夜切り替え撮影カメラは、赤外線カットフィルタとダミーガラスとを備えるための空間を確保しつつこれらを入れ替えるための駆動装置が別々に必要であるために、小型化に限界があった。
【０００５】
そこで、本発明では、前記した問題を解決し、昼夜切り替え撮影カメラの小型化を実現できる昼夜切り替え撮影カメラ用ローパスフィルタを提供することを課題とする。
【課題を解決するための手段】
【０００６】
前記課題を解決するため、本発明は、平板状の透明基板と、この透明基板の一方の主面に設けられる赤外線カット膜と、前記透明基板の前記一方の主面に設けられる赤外線反射防止膜と、前記透明基板の他方の主面に設けられる赤外線反射防止膜と、を備え、前記透明基板の一方の主面に設けた前記赤外線カット膜と前記赤外線反射防止膜とが並んで設けられて構成されていることを特徴とする。また、本発明は、前記透明基板が水晶からなる複屈折板であることを特徴とする。
【発明の効果】
【０００７】
このような昼夜切り替え撮影カメラ用ローパスフィルタによれば、１つのフィルタで昼間の撮影と夜間の撮影との両方に対応させることができるため、昼夜切り替え撮影カメラを小型化させることができる。
【図面の簡単な説明】
【０００８】
【図１】（ａ）は昼夜切り替え撮影カメラ用ローパスフィルタの一例を示す斜視図であり、（ｂ）は昼夜切り替え撮影カメラ用ローパスフィルタの変形例の一例を示す斜視図である。
【図２】（ａ）は透明基板を蒸着治具の枠部に配置した状態を示す模式図であり、（ｂ）は透明基板の一方の主面に赤外線反射防止膜を設けた一例を示す模式図であり、（ｃ）は透明基板を裏返した状態を示す模式図であり、（ｄ）は枠部に蓋部を固定する前の状態を示す模式図であり、（ｅ）は枠部に蓋部を固定した状態を示す模式図であり、（ｆ）は透明基板の他方の主面に赤外線反射防止膜を設けた一例を示す模式図であり、（ｇ）は透明基板の他方の主面に赤外線カット膜を設けた一例を示す模式図である。
【発明を実施するための形態】
【０００９】
次に、本発明を実施するための最良の形態（以下、「実施形態」という。）について、適宜図面を参照しながら詳細に説明する。なお、各構成要素について、状態をわかりやすくするために、誇張して図示している。
【００１０】
図１（ａ）に示すように、本発明の実施形態に係る昼夜切り替え撮影カメラ用ローパスフィルタ１は、透明基板２と、赤外線カット膜３と、赤外線反射防止膜４と、から構成されている。
【００１１】
図１（ａ）に示すように、透明基板２は、例えば水晶から成り、四角形の平板状に形成された複屈折板が用いられている。
この透明基板２は、例えば、水晶の結晶軸であるＺ軸方向を厚み方向として形成されている。
また、透明基板の面積の一番広い向かい合った２つの面を主面とする。
なお、透明基板２は、図１（ｂ）に示すように、円形で形成されても良い。
【００１２】
図１（ａ）に示すように、赤外線カット膜３は、前記透明基板２の一方の主面に設けられている。
この赤外線カット膜３は、赤外線の入射を防ぐ役割を果たし、高屈折材料を用いる場合は、ＴｉＯ２，Ｎｂ２Ｏ５，Ｔａ３Ｏ５のいずれかが用いられ、低屈折材料を用いる場合は、ＳｉＯ２，ＭｇＦ２のいずれかが用いられる。
この赤外線カット膜３は、例えば、従来周知の蒸着技術を用いることによって透明基板２に設けることができる。
赤外線カット膜３は、透明基板２の一方の主面に対して、中央部分から一方の端部側までの範囲で設けられる。
【００１３】
図１（ａ）に示すように、赤外線反射防止膜４は、前記透明基板２の一方の主面に設けられている。
この赤外線反射防止膜４は、赤外線の反射を防ぐ役割を果たし、蒸着材料としてＡｌ２Ｏ３，ＺｒＯ２，ＭｇＦ２のいずれかが用いられる。
この赤外線反射防止膜４は、例えば、従来周知の蒸着技術を用いることによって透明基板２に設けることができる。
赤外線反射防止膜４は、透明基板２の主面に対して、中央部分から他方の端部側までの範囲で設けられ、透明基板２の両主面のそれぞれに対向させて設けられる。
【００１４】
したがって、赤外線カット膜３と赤外線反射防止膜４とは、透明基板２の一方の主面上に並んで設けられている。
【００１５】
次に、昼夜切り替え撮影カメラ用ローパスフィルタ１の製造方法について説明する。
まず、昼夜切り替え撮影カメラ用ローパスフィルタ１を製造するに際し、蒸着治具１０を用いる。
この蒸着治具１０は、赤外線カット膜３又は赤外線反射防止膜４を設けるための厚み方向に貫通した開口部Ｋを有する蓋部１１と、透明基板２を配置可能にした枠部１２とから構成されている。
この蒸着治具１０の蓋部１１に設けられた開口部Ｋは、赤外線カット膜３と赤外線反射防止膜４を所定の大きさに設けるためのマスクとして用いることができる。
したがって、開口部Ｋは、赤外線カット膜３と赤外線反射防止膜４の平面積と同じ形状となっている。
【００１６】
図２（ａ）に示すように、まず、透明基板２を蒸着治具１０の枠部１２に配置する。この枠部１２は、外周枠の内側の縁にフランジが例えば環状に設けられており、透明基板２を支えることができるようになっている。
【００１７】
図２（ｂ）に示すように、従来周知の蒸着技術により、蒸着治具１０の枠部１２に配置された透明基板２の露出した他方の主面の全面に赤外線反射防止膜４となる所定の膜材料を付着させる。
【００１８】
図２（ｃ）に示すように、透明基板２を反転させるように裏返しにして、赤外線反射防止膜４が設けられていない他方の主面を露出させる。
【００１９】
図２（ｄ）に示すように、透明基板２が配置された枠部２に蓋部１１を対向させてる。
【００２０】
次に、図２（ｅ）に示すように、蓋部１１の開口部Ｋ側に透明基板２の表面が位置するように、蒸着治具１０の枠部１２に配置し、蓋部１１を枠部１２に固定する。
【００２１】
図２（ｆ）に示すように、従来周知の蒸着技術により蓋部１１の開口部Ｋ側から赤外線反射防止膜４となる所定の膜材料を透明基板２の露出した他方の主面に付着させる。
【００２２】
図２（ｇ）に示すように、蓋部１１を外して透明部材２の露出する他方の主面を蓋部１１の開口部Ｋ側に位置させた後に再び蓋部１１を枠部１２に固定し、従来周知の蒸着技術により蓋部１１の開口部Ｋ側から赤外線カット膜３となる所定の膜材料を透明基板２の露出した他方の主面に付着させる。
なお、蒸着治具の枠部１２のフランジには平板部材を取り付けて、このフランジと接触している透明材料２の主面に前記所定の膜材料が付着しないように構成しても良い。
【００２３】
このように昼夜切り替え撮影カメラ用ローパスフィルタ１を製造することにより、赤外線カット膜３と赤外線反射防止膜４とは、透明基板２の主面上に並んで設けることができる。
したがって、１つのフィルタで昼間の撮影と夜間の撮影との両方に対応させた昼夜切り替え撮影カメラ用ローパスフィルタ１を製造することができる。
【００２４】
このような本発明の実施形態に係る昼夜切り替え撮影カメラ用ローパスフィルタ１は、以下のように用いることができる。
【００２５】
例えば、図１（ａ）に示すように、本発明の実施形態に係る昼夜切り替え撮影カメラ用ローパスフィルタ１は、カメラレンズ（図示せず）と撮像素子（図示せず）との間に配置され、透明基板２に設けられた赤外線カット膜３と赤外線反射防止膜４とがカメラレンズと撮像素子との間を行き来するように透明基板２をスライドさせることにより、昼夜の撮影を切り替えることができる。
【００２６】
また、例えば、図１（ｂ）に示すように、円形の透明基板２であって、その円形の中心に貫通穴を設けて回転可能に駆動装置（図示せず）に取り付け、カメラレンズ（図示せず）と撮像素子（図示せず）との間に透明基板２を配置し、透明基板２に設けられた赤外線カット膜３と赤外線反射防止膜４とがカメラレンズと撮像素子との間を行き来するように透明基板２を回転させることにより、昼夜の撮影を切り替えることができる。
【００２７】
したがって、簡易な構成で昼夜の切り替えができ、かつ、１つのフィルタで昼間の撮影と夜間の撮影との両方に対応させることができるため、昼夜切り替え撮影カメラを小型化させることができる。
【符号の説明】
【００２８】
１      昼夜切り替え撮影カメラ用ローパスフィルタ
２      複屈折板
３      赤外線カット膜
４      赤外線反射防止膜
【図１】
2013250425.tif 000003
【図２】
2013250425.tif 000004